(57)【要約】【課題】  スラブ型枠の施工作業を迅速容易に行うことができるスラブ型枠用バタ材締着具を提供する。【解決手段】  矩形板状の当て板１０と、当て板１０の表面中央から起立する保持部材２０とを備え、当て板１０は、短辺方向両側に設けられて当て板１０の表面側に起立する一対のリブ１１，１２を備え、一対のリブ１１，１２は、互いに対向するように一対の切欠部１１ａ，１２ａが形成されており、当て板１０の表面側における保持部材２０を挟んだ長手方向両側には、一対の切欠部１１ａ，１２ａに短辺方向に沿ってバタ材を配置可能であると共に、一対のリブ１１，１２間に長辺方向に沿ってバタ材を配置可能である型枠用バタ材締着具１である。【選択図】  図１
2019163650.tif 000002
【特許請求の範囲】
【請求項１】
矩形板状の当て板と、
前記当て板の表面中央から起立する保持部材とを備え、
前記当て板は、短辺方向両側に設けられて前記当て板の表面側に起立する一対のリブを備え、
一対の前記リブは、互いに対向するように一対の切欠部が形成されており、
前記当て板の表面側における前記保持部材を挟んだ長手方向両側には、一対の前記切欠部に短辺方向に沿ってバタ材を配置可能であると共に、一対の前記リブ間に長辺方向に沿ってバタ材を配置可能であるスラブ型枠用バタ材締着具。
【請求項２】
前記保持部材は、バタ材を固定するための楔状部材が着脱可能に挿入される楔孔が形成されている請求項１に記載のスラブ型枠用バタ材締着具。
【請求項３】
前記当て板は、表面の短辺方向中央部が一対の前記切欠部の底部と同じ高さになるように隆起した形状を有する請求項１または２に記載のスラブ型枠用バタ材締着具。
【請求項４】
前記保持部材の基端部は、前記当て板に形成された貫通孔に表面側から挿入されて、前記当て板の裏面側に突出した状態で固定されている請求項１から３のいずれかに記載のスラブ型枠用バタ材締着具。
【発明の詳細な説明】
【技術分野】
【０００１】
本発明は、スラブ型枠用バタ材締着具に関する。
【背景技術】
【０００２】
コンクリートの打設に用いられる型枠を固定する型枠用バタ材の締着具として、例えば、特許文献１に開示されたコンクリート型枠締付座金が知られている。このコンクリート型枠締付座金は、座金本体の一方面を利用して、平行に配置された二本の横バタ材を結合することができると共に、座金本体の他方面を利用して、一本使いのバタ材の締付にも使用することができる。
【先行技術文献】
【特許文献】
【０００３】
【特許文献１】特開平８−１２０９２２号公報
【発明の概要】
【発明が解決しようとする課題】
【０００４】
ところが、上記のコンクリート型枠締付座金は、複数のバタ材を長手方向に突き合わせて連結する用途には使用できないため、スラブ型枠におけるバタ材の延長には適していない。スラブ型枠用バタ材の延長に際しては、複数のバタ材を突き合わせた後、添え木を用いて釘打ちにより固定することが一般に行われており、作業性の面で改良の余地があった。
【０００５】
そこで、本発明は、スラブ型枠の施工作業を迅速容易に行うことができるスラブ型枠用バタ材締着具の提供を目的とする。
【課題を解決するための手段】
【０００６】
本発明の前記目的は、矩形板状の当て板と、前記当て板の表面中央から起立する保持部材とを備え、前記当て板は、短辺方向両側に設けられて前記当て板の表面側に起立する一対のリブを備え、一対の前記リブは、互いに対向するように一対の切欠部が形成されており、前記当て板の表面側における前記保持部材を挟んだ長手方向両側には、一対の前記切欠部に短辺方向に沿ってバタ材を配置可能であると共に、一対の前記リブ間に長辺方向に沿ってバタ材を配置可能であるスラブ型枠用バタ材締着具により達成される。
【０００７】
このスラブ型枠用バタ材締着具において、前記保持部材は、バタ材を固定するための楔状部材が着脱可能に挿入される楔孔が形成されていることが好ましい。
【０００８】
前記当て板は、表面の短辺方向中央部が一対の前記切欠部の底部と同じ高さになるように隆起した形状を有することが好ましい。
【０００９】
前記保持部材の基端部は、前記当て板に形成された貫通孔に表面側から挿入されて、前記当て板の裏面側に突出した状態で固定されていることが好ましい。
【発明の効果】
【００１０】
本発明のスラブ型枠用バタ材締着具によれば、スラブ型枠の施工作業を迅速容易に行うことができる。
【図面の簡単な説明】
【００１１】
【図１】本発明の一実施形態に係るスラブ型枠用バタ材締着具の正面図である。
【図２】図１に示すスラブ型枠用バタ材締着具の側面図である。
【図３】図１に示すスラブ型枠用バタ材締着具の平面図である。
【図４】図１に示すスラブ型枠用バタ材締着具にバタ材を取り付けた状態の一例を示す正面図である。
【図５】図１に示すスラブ型枠用バタ材締着具にバタ材を取り付けた状態の他の例を示す正面図である。
【発明を実施するための形態】
【００１２】
以下、本発明の一実施形態について添付図面を参照して説明する。図１は、本発明の一実施形態に係るスラブ型枠用バタ材締着具の正面図である。また、図２および図３は、図１のスラブ型枠用バタ材締着具をそれぞれ矢示Ａ方向および矢示Ｂ方向に見た側面図および平面図である。図１から図３に示すように、スラブ型枠用バタ材締着具１は、当て板１０と、当て板１０の表面中央から直角に起立する保持部材２０と、楔状部材３０とを備えている。なお、図２および図３においては、楔状部材３０の図示を省略している。
【００１３】
当て板１０は、矩形板状に形成されており、短辺方向（図３のＣ方向）両側には、当て板１０の表面側に略直角に起立する一対のリブ１１，１２が、長辺方向（図３のＤ方向）の全体にわたって設けられている。各リブ１１，１２には、両側部を残して長辺方向に沿って大きく切り欠かれた一対の切欠部１１ａ，１２ａが、互いに対向するように形成されている。なお、当て板１０および一対のリブ１１，１２の両側部には、複数のクギ孔１０ｂ，１１ｂ, １２ｂが形成されている。
【００１４】
図２に示すように、当て板１０は、表面の短辺方向中央部が、長手方向（図面を貫通する方向）に沿って一対の切欠部の底部１１１ａ，１２１ａと同じ高さとなるように隆起した形状を有している。
【００１５】
保持部材２０は、帯板状に形成されている。保持部材２０の基端部２０ａは、当て板１０の中央に短辺方向に沿って形成されたスリット状の貫通孔１０ａに表面側から挿入されており、当て板１０の裏面側に突出した状態で溶接等により固定されている。保持部材２０の先端部（図の上部）には、楔状部材３０が着脱可能に挿入される楔孔２０ｂが形成されている。楔状部材３０は、保持部材２０に設けられた連結部２２にチェーン３２を介して取り付けられている。
【００１６】
上記の構成を備えるスラブ型枠用バタ材締着具１によれば、図４に示すように、互いに平行に配置された２本のバタ材４０，４２の間に保持部材２０を挿入し、バタ材４０，４２を、保持部材２０の両側で当て板１０の短辺方向（図面を貫通する方向）に沿うように、一対の切欠部１１ａ，１２ａに配置した後、楔状部材３０を楔孔２０ｂに挿入することにより、一対の切欠部１１ａ，１２ａと楔状部材３０との間にバタ材４０，４２を挟持して、締着することができる。バタ材４０，４２は、本実施形態では木質材であるが、鋼管など他のバタ材であってもよい。バタ材４０，４２は、一対の切欠部１１ａ，１２ａの底部１１１ａ，１２１ａに支持されると共に、当て板１０の隆起した中央部によっても支持されるため、バタ材４０，４２を確実に締着することができる。
【００１７】
一方、２本のバタ材４０，４２を長手方向に突き合わせて連結する場合には、図５に示すように、２本のバタ材４０，４２を、保持部材２０の両側で当て板１０に長辺方向に沿うように搭載して、一対のリブ１１，１２間に配置することができ、楔状部材３０を楔孔２０ｂに挿入することで、２本のバタ材４０，４２を、当て板１０の隆起した中央部に搭載した状態で連結することができる。バタ材４０，４２の固定は、必ずしも楔状部材３０の使用に限定されず、他の固定手段を用いてもよい。
【００１８】
スラブ型枠用バタ材締着具１は、保持部材２０の基端部２０ａが、当て板１０の裏面側に突出した状態で固定されているため、図５に示すように、この基端部２０ａを、パイプサポート（支保工）５０の受け板５２の中央に形成された孔部５４に挿入することにより、バタ材４０，４２の連結部をパイプサポート５０の受け板５２で確実に支持することができる。したがって、バタ材４０，４２を突き合わせにより連結する場合の強度を良好に維持することができる。
【００１９】
本実施形態のスラブ型枠用バタ材締着具１は、従来と同様に平行に配置された複数のバタ材の締着に利用できるだけでなく、複数のバタ材を突き合わせて連結する用途にも利用できるため、スラブ型枠の施工現場での作業性を大きく向上させることができる。
【符号の説明】
【００２０】
１  スラブ型枠用バタ材締着具
１０  当て板
１１，１２  リブ
１１ａ，１２ａ  切欠部
２０  保持部材
２０ａ  基端部
２０ｂ  楔孔
３０  楔状部材
【図１】
2019163650.tif 000003
【図２】
2019163650.tif 000004
【図３】
2019163650.tif 000005
【図４】
2019163650.tif 000006
【図５】
2019163650.tif 000007